(57)【要約】  【課題】  常に簡単かつ正確に、穂木苗Ｈ及び台木苗Ｄの茎部を切断でき、しかも、高い活着率が得られる接ぎ木苗の製造装置を提供することを目的とする。  【解決手段】  台座体２上に、穂木苗Ｈ及び台木苗Ｄのそれぞれの茎部のうち少なくとも根元部側を載置する載置ブロック３、４と、昇降ガイド軸６、６とを備え、昇降ガイド軸に沿って昇降可能な昇降台５の下面には、各載置ブロック３、４上の前記各茎部を一斉に切断するための一対の斜め切断刃を断面Ｖ字状に配置してなる２つのカッタ手段７ａ，７ｂと茎押え機構４５とが固定されており、昇降台５が両載置ブロック３、４の上面から離間する方向に付勢する付勢手段８を昇降ガイド軸６、６に備え、付勢手段８に抗して昇降台を下降動させて両茎部をＶ字状に切断した後、台座体２上の接合資材マガジン６０からスリーブ６４を接合工具６１で取り出し、スリーブ６４を接合部に被嵌固定する。  【選択図】  図１
2005224152.tif 000002
【特許請求の範囲】
【請求項１】
台座体上に、穂木苗及び台木苗のそれぞれの茎部のうち少なくとも根元部側を載置する載置ブロックと、昇降ガイド軸とを備え、
前記昇降ガイド軸に沿って昇降可能な昇降台の下面には、前記各載置ブロック上の前記各茎部を一斉に切断するための２つのカッタ手段が固定されており、
前記昇降台が前記両載置ブロックの上面から離間する方向に付勢する付勢手段を備えたことを特徴とする接ぎ木苗の製造装置。
【請求項２】
台座体上に、穂木苗または台木苗の茎部のうち少なくとも根元部側を載置する載置ブロックと、昇降ガイド軸とを備え、
前記昇降ガイド軸に沿って昇降可能な昇降台の下面には、前記載置ブロック上の前記茎部を切断するためのカッタ手段が固定されており、
前記昇降台が前記載置ブロックの上面から離間する方向に付勢する付勢手段を備えたことを特徴とする接ぎ木苗の製造装置。
【請求項３】
前記台座体上には、複数の接合資材を保持する接合資材マガジンと、前記接合資材を扱うための接合工具とを備えたことを特徴とする請求項１または２に記載の接ぎ木苗の製造装置。
【請求項４】
前記カッタ手段は、前記各茎部を少なくともＶ字状に切断するための一対の斜め切断刃が断面Ｖ字状に配置されており、この両斜め切断刃の突合せ部が前記載置ブロック上の各茎部の軸線を略通るように配置し、
前記両斜め切断刃の刃先を、前記突合せ部から切先に向けて刃先間の隙間間隔が広がるように傾斜状に形成したことを特徴とする請求項１乃至３のいずれかに記載の接ぎ木苗の製造装置。
【請求項５】
前記昇降台の下面には、前記載置ブロック上の前記茎部を位置保持するための押え手段を備えたことを特徴とする請求項１乃至４のいずれかに記載の接ぎ木苗の製造装置。
【発明の詳細な説明】
【技術分野】
【０００１】
本発明は、穂木苗及び台木苗の茎部を切断することにより接ぎ木苗を製造する装置に関するものである。
【背景技術】
【０００２】
従来から、耐病性向上、着果促進及び品質向上等を目的として、野菜や果物等の苗を接ぎ木するに際しては、割り接ぎが広く行われている。割り接ぎは、穂木苗の茎部をＶ字状（楔状）に切断し、台木のうち縦割りした先端部にＶ字状の被切断部を差し込んだのち、この接合部分を合成樹脂等のクリップ等で固定するというものである。
【０００３】
例えば、特許文献１に示す切断装置では、鋏型器具における一方の腕部の先端部位に、可撓性を有する一対の切断刃が設けられており、他方の腕部の先端部位には凹溝及びＶ字スリットが設けられている。この凹溝に茎部をあてがいながら、両切断刃の切先をＶ字スリットに沿わせて突き合せるまで撓ませると、茎部はＶ字状に切断されるようになっている。
【０００４】
他方、特許文献２では、台板上に、穂木苗の茎部をＶ字状に切断するための一対の切断刃とこれら切断刃の下端部を保持する保持部とからなる切断機構と、この切断機構に対して穂木苗の茎を案内するための案内機構とを取り付けしてなり、一対の切断刃はＶ字型で且つそれらの刃先がＶ字の先鋭部側をなすように上向きに立設されたものであり、作業者は、穂木苗の茎を略水平状に保持しながら案内機構に沿って下降させて切断する。
【０００５】
特許文献３では、長手側縁部に刃先を有する一対の切断刃が平面視略矩形状の基台に立設されている。これら両切断刃は、両刃先のうち基台から離れた先端同士が当接し、基台寄りの基端に近付くにつれて刃先間の隙間間隔が広がるようにして、平面視で略Ｖ字状に配置されており、両切断刃における刃先間には昇降動可能な穂木載せ台が設けられている。穂木苗が置かれた穂木載せ台を上昇動させると、穂木苗の茎部は、両刃先の当接部分を突き抜けてＶ字状に切断されるようになっている。
【特許文献１】特公平７−３６７３４号公報
【特許文献２】特許第３０２３４３７号公報
【特許文献３】特開２００２−２２３６３５号公報
【発明の開示】
【発明が解決しようとする課題】
【０００６】
しかし、特許文献１及び２の構成では、作業者が穂木苗または台木苗の茎部を手に持って作業しなければならず、茎部（特に軟らかい茎）のＶ字状の切断面を正確に形成することが困難であった。
【０００７】
他方、特許文献３の構成によれば、穂木載せ台に対して穂木苗の茎部を水平に載置するためには、当該茎部を両切断刃の間に通す必要があり、手間が掛かるという問題があった。
【０００８】
そこで本発明は、常に簡単かつ正確に、穂木苗や台木苗の茎部を切断でき、しかも、高い活着率が得られる接ぎ木苗の製造装置を提供することを目的とする。
【課題を解決するための手段】
【０００９】
前記目的を達成するため、請求項１に記載の接ぎ木苗の製造装置は、台座体上に、穂木苗及び台木苗のそれぞれの茎部のうち少なくとも根元部側を載置する載置ブロックと、昇降ガイド軸とを備え、前記昇降ガイド軸に沿って昇降可能な昇降台の下面には、前記各載置ブロック上の前記各茎部を一斉に切断するための２つのカッタ手段が固定されており、前記昇降台が前記両載置ブロックの上面から離間する方向に付勢する付勢手段を備えたものである。
【００１０】
請求項２に記載の接ぎ木用の製造装置は、台座体上に、穂木苗または台木苗の茎部のうち少なくとも根元部側を載置する載置ブロックと、昇降ガイド軸とを備え、前記昇降ガイド軸に沿って昇降可能な昇降台の下面には、前記載置ブロック上の前記茎部を切断するためのカッタ手段が固定されており、前記昇降台が前記載置ブロックの上面から離間する方向に付勢する付勢手段を備えたものである。
【００１１】
請求項３に記載の発明は、請求項１または２に記載の接ぎ木苗の製造装置において、前記台座体上には、複数の接合資材を保持する接合資材マガジンと、前記接合資材を扱うための接合工具とを備えたものである。
【００１２】
請求項４に記載の発明は、請求項１乃至３のいずれかに記載の接ぎ木苗の製造装置において、前記カッタ手段は、前記各茎部を少なくともＶ字状に切断するための一対の斜め切断刃が断面Ｖ字状に配置されており、この両斜め切断刃の突合せ部が前記載置ブロック上の各茎部の軸線を略通るように配置し、前記両斜め切断刃の刃先を、前記突合せ部から切先に向けて刃先間の隙間間隔が広がるように傾斜状に形成したものである。
【００１３】
請求項５に記載の発明は、請求項１乃至４のいずれかに記載の接ぎ木苗の製造装置において、前記昇降台の下面には、前記載置ブロック上の前記茎部を位置保持するための押え手段を備えたものである。
【発明の効果】
【００１４】
請求項１に記載の発明によれば、台座体上に、穂木苗及び台木苗のそれぞれの茎部のうち少なくとも根元部側を載置する載置ブロックと、昇降ガイド軸とを備え、前記昇降ガイド軸に沿って昇降可能な昇降台の下面には、前記各載置ブロック上の前記各茎部を一斉に切断するための２つのカッタ手段が固定されているから、各載置ブロックに対応する苗を載置した状態で、作業者が昇降台を下降動するだけの簡単な操作で一挙に穂木苗と台木苗とを所定の箇所で正確に切断することができる。
【００１５】
請求項２に記載の発明によれば、穂木苗または台木苗の同一種類の苗切断を正確に行うことができる。
【００１６】
請求項３に記載の発明によれば、台座体上に、複数の接合資材を保持する接合資材マガジンと、前記接合資材を扱うための接合工具とを備えているから作業者は切断した穂木苗と台木苗とを接合する作業まで完結することができ、しかも、高い活着率が得られる接ぎ木を得ることができる。
【００１７】
請求項４の発明に係る装置によると、台木苗または穂木苗の茎部を少なくともＶ字状に切断するので、被切断部における両方の被切断面のなす角度が切断のたびに異なるというような切断ミスのおそれを格段に低減することができる。
【００１８】
請求項５の発明に係る装置によれば、載置ブロック上の前記茎部を位置保持するための押え手段を備えたものであるから、台木苗や穂木苗における茎部の被切断部形状を常に一定形状とし、且つ切断位置も一定にすることができるという効果を奏する。
【発明を実施するための最良の形態】
【００１９】
次に、本発明を具体化した実施形態を図面を参照しながら説明する。図１は苗製造装置１の全体を示す概略斜視図、図２は一部切欠き概略正面図、図３は図１の III−III 線矢視平面図、図４は台木苗用の載置ブロック及び子葉押えの側断面図、図５は図４のＶ−Ｖ線矢視拡大平断面図である。
【００２０】
この実施形態の苗製造装置１は、前処理で根切したキュウリ、スイカの瓜科の穂木苗とカボチャ等の台木苗とを接ぎ木（割り木接ぎ）したり、ナス、トマト等のナス科の穂木苗Ｈとじゃがいも等の台木苗Ｄとを接ぎ木（割り木接ぎ）して接ぎ木苗Ｔを製造するためのものである。この苗製造装置１は、平面視略矩形状の台座体２と、この台座体２の上面のうち手前側（作業者が対峙する側、図１のＡ側）に固定した穂木苗用の載置ブロック３と台木苗用の載置ブロック４と、台座体２の上面のうち奥側（図１のＢ側）にて下方からのねじ（図示せず）等で立設固定した一対の昇降ガイド軸６、６と、これら両昇降ガイド軸６、６に対して上下動可能に支持された平面視略矩形状の扁平な昇降台５と、当該昇降台５の下面に固定した（取付けた）２つのカッタ手段７ａ，７ｂと、昇降台５を載置ブロック３、４の上面から離間するように上向きに弾力付勢するための付勢手段８と、接ぎ木のための接合資材（スリーブ６４）を多数保持するために台座体２の上面に立設する接合資材マガジン６０と、接合資材（スリーブ６４）を取り扱うための接合工具６１とを備える。
【００２１】
台座体２は金属板または合成樹脂板製等のものである。台座体２における下面の四隅部には、苗製造装置１を作業机上等に安定的に載置する等のために、ゴム製等の足部材１３が下方からのねじで固定されている（実施形態では四つ）。
【００２２】
実施形態では、付勢手段８は、各昇降ガイド軸６に被嵌させた圧縮コイルばね８ａからなる。金属板または合成樹脂板製等の昇降台５に対して下向き開口筒状の受け座１２は外周ネジ等にて螺合され、高さ調節可能に取り付けられ、この受け座１２の内径部に圧縮コイルばね８ａの上端をセットし、受け座１２は昇降ガイド軸６に対して摺動自在に被嵌している。圧縮コイルばね８ａの下端は台座体２の上面に支持されている（図１及び図２参照）。
【００２３】
両昇降ガイド軸６の上端間には、昇降台５の上方への抜け出しを規制するストッパー板１４がネジ１５等にて固定されている。なお、昇降台５の上昇時に、受け座１２とストッパー板１４との間に緩衝ゴム（図示せず）を介挿して、直接衝突して異音を発しないように構成しても良い。
【００２４】
穂木苗Ｈ用の載置ブロック３及び台木苗Ｄ用の載置ブロック４は共に金属または合成樹脂製であり、載置ブロック３、４は、その上面にそれぞれ平面視直線状に凹み形成された茎載せ溝３ａ及び４ａが平面視で図１のＸ軸線方向にほぼ一直線状に並ぶように配置し、載置ブロック３は台座体２の下面側からの取付けボルト２０にて固定する（図４参照）。その場合、載置ブロック３は図１のＹ軸線方向に位置調節可能なうように台座体２にＹ軸線方向に長い孔（図示せず）を介して取付けボルト２０にて固定することが好ましい。
【００２５】
台木苗Ｄ用の載置ブロック４は台座体２の上面にてＸ軸線方向に沿って往復移動可能に取り付けられる。そのため、台座体２にはＸ軸線方向に長いガイド溝２１を穿設し、台座体２の下面側から取付けボルト２２をガイド溝２１を介して載置ブロック４に取り付けする。載置ブロック３と載置ブロック４との間には、台木苗Ｄの子葉押えブロック２３を同じく固定用ボルト２４にて固定する。そして、載置ブロック４の上下中途部にはＸ軸線方向に長い貫通孔２５を複数本（実施例では２本）穿設し、載置ブロック４の背面側（子葉押えブロック２３と反対側）から各貫通孔２５に挿通したガイド軸２６の基端を子葉押えブロック２３に螺着する。また、各ガイド軸２６に被嵌させた圧縮コイルばね２７にて載置ブロック４をその背面側から子葉押えブロック２３に接近する方向に弾力付勢する。
【００２６】
他方、載置ブロック４の正面にはＸ軸線方向の長さ調節可能な規制手段の一例としてのストッパー用ボルト２８を取り付けすることにより、このストッパー用ボルト２８の頭部が子葉押えブロック２３の側面に当接して、載置ブロック４と子葉押えブロック２３との隙間が所定間隔Ｗ１で保持されるように構成されている（図４参照）。間隔Ｗ１は接ぎ木すべき台木苗Ｄの種類や成長度に応じて変更調節可能である。なお、台木苗Ｄを載置ブロック４上にセットするために、圧縮コイルばね２７の付勢力に抗して、載置ブロック４を子葉押えブロック２３から引き離すには、載置ブロック４の背面から前方向に突出させたハンドル２９にて操作する。
【００２７】
子葉押えブロック２３は、図５に示すように一対のガイドブロック部３０と、前側に向かって下向きに傾斜する滑り台部３２が形成された平面視略三角形の中央ブロック部３１とからなり、一対のガイドブロック部３０の間に所定の隙間３５を隔てて中央ブロック部３１を配置し、連結金具３３及びボルト３４にて３つのブロック部３０，３０，３１を固定することにより、後述する台木苗Ｄ用のカッタ手段７ｂにおける平面視Ｖ字型に配置した一対の切断刃３６が下降するとき、前記隙間３５、３５にて一対の切断刃３６の側面を案内するように構成されている（図３参照）。
【００２８】
他方、穂木苗Ｈ用の載置ブロック３は、上面に平面視直線状に凹み形成された茎載せ溝３ａを有する茎載置ブロック部３７と、この茎載置ブロック部３７に連接させた位置決めブロック部３８とからなる。平面視ほぼ三角形状の位置決めブロック部３８と茎載置ブロック部３７の平面視Ｖ字状のガイド壁３７ａとの間に適宜隙間が有るように配置し、後述する穂木苗Ｈ用のカッタ手段７ａにおける平面視Ｖ字型に配置した一対の切断刃３６が下降するとき、前記隙間にて一対の切断刃３６の側面を案内するように構成されている（図３参照）。また、位置決めブロック部３８の上面には、茎載置ブロック部３７の茎載せ溝３ａに連通する茎載せ溝３８ａが形成され、さらに、この茎載せ溝３８ａに連通する略垂直状の当接部３８ｂには、穂木苗Ｈにおける茎部Ｈ１を載せた状態で上下方向に向かう子葉Ｈ２のうちの下向きの子葉Ｈ２の裏面に当接するように構成されている。
【００２９】
また、位置決めブロック部３８の当接部３８ｂの近傍には、下端が枢軸４０を介して回動する子葉押えレバー４１が設けられている。この子葉押えレバー４１の中途部には弾力性を有する樹脂製の押え部４２が横向きに突出し、子葉押えレバー４１や枢軸４０に関連させて捩じりバネ（図示せず）が設けられて、押え部４２が当接部３８ｂに当接する方向にバネ付勢されている。これにより、押え部４２と当接部３８ｂとの間で下向きの子葉Ｈ２が挟まれるよう構成されている。
【００３０】
昇降台５の下面には、穂木苗Ｈ用のカッタ手段７ａにおける一対の切断刃３６を平面視Ｖ字型にて下向きに固定するためのカッタブロック４３と、台木苗Ｄ用のカッタ手段７ｂにおける一対の切断刃３６を平面視Ｖ字型にて下向きに固定するためのカッタブロック４４とをそれぞれ取り付けする。その場合、各切断刃３６、３６の破損・修理に際してカッタブロック４３、４４から取り外して交換可能となるようにしている。
【００３１】
一対の切断刃３６，３６の平面視での夾角θ（以下、くさび角θという）は、台木苗Ｄを切断する場合は略４０°程度、穂木苗Ｈを切断する場合は略２０°程度に設定するのが好ましい。また、一対の切断刃３６、３６は、下端縁に刃先が形成され、平面視Ｖ字状の突き合わせ部で高い位置となり、Ｖ字状の広がり側に行くに従って下方に延びる傾斜状の刃先である。また、穂木苗Ｈ用のカッタ手段７ａの切断刃３６が茎載置ブロック３７のガイド壁３７ａに沿うように、カッタブロック４３がＸ，Ｙ方向に位置調節可能に構成され同様にカッタブロック４４をＸ，Ｙ方向に位置調節可能に構成することにより、台木苗Ｄ用のカッタ手段７ｂの切断刃３６が下降するとき、当該切断刃３６が前記隙間３５、３５に嵌まるようにしている。切断刃３６の材質は、金属製、セラミックス製または合成樹脂製等いずれのものでもよい。
【００３２】
図１、図２に示すように、各カッタブロック４３、４４に隣接させて茎押え機構４５を下向きに備える。各押え機構４５は、昇降台５にねじ固定した支持ブロック４６と、この支持ブロック４６及び昇降台５に設けた上下貫通状の軸穴（実施形態では二つ）に遊嵌した一対の支軸４７（図では一方のみ示す）と、これら両支軸４７の下端に跨がって設けた平面視略矩形状の茎押え体４８とを備えている。なお、茎押え体４８の下面には、押しつける茎部を傷つけないようにするためのスポンジなどの緩衝片５６（図３参照）が貼着されている。
【００３３】
各支軸４７の外周には押しばね（圧縮コイルばね）４９が被嵌されており、これら各押しばね４９により茎押え体５３が常時下向きに弾力付勢されている。各支軸４７の上端部にはナット５０がねじ込まれており、各支軸４７の落下を防止している。
【００３４】
さらに、カッタブロック４３、４４または昇降台５の下面には、当該昇降台５ひいては切断刃３６の下降位置を規制するためのストッパー棒５１が取り付けられており、実施例ではストッパー棒５１の下端面が載置ブロック４の上面に当接すると、それ以上昇降台５は下降できない構成である。
【００３５】
前記台木苗Ｄ用のカッタブロック４４及び昇降台５に上下に貫通する孔を介して上下動可能な茎落とし棒５２は、昇降台５が昇降するときに、一対の切断刃３６、３６の間に挿通できるように配置されている。そのため、台座体２の上面に前記昇降ガイド軸６と平行に支持軸５３を立設し、この支持軸５３を昇降台５に対して摺動可能に貫通させる支持軸５３の上部（昇降台５より上方）から横向きに突出させたアーム５４には前記茎落とし棒５２の上端を落下不能に装着すると共に、バネを介挿させて下方からの押圧力に対して若干上向きに逃げ移動可能に構成されている。なお、支持軸５３に被嵌したコイルばねにより昇降台５を上向き付勢させても良い。また、昇降台５の前側（図１のＡ側）寄りには、透明なカバー体５５（図１で二点鎖線で示す）を設け、苗を切断するときに、茎部等の屑や液が飛び散って作業者の目に入らないように保護している。
【００３６】
台座体２の上面のうち、前記昇降台５の昇降領域から外れた箇所には、前記切断した台木苗Ｄと穂木苗Ｈとを接合するための接合資材を多数保持ておくための接合資材マガジン６０と、各接合資材を取り扱う（接合作業を実行する）ための接合工具６１とを配置する。接合資材マガジン６０は、平面視円形状の基台６２に平面視十字状（もしくは放射状）で縦長のフイン部６３が縦中心軸周りに水平回動可能に装着されたものである。
【００３７】
接合資材としての略円筒状のスリーブ６４は円筒体の一側が切り離され、両切り離し端縁６４ａは半径外向きに突出している。また、スリーブ６４は台木苗Ｄと穂木苗Ｈとの切断部分を繋いだ状態で両茎部に跨がってその外周を囲み挟んで保持できるような弾性を有し、接ぎ木苗Ｔの茎部が成長して増大すると、茎部から自然に脱落し、この脱落後には数カ月で生分解する軟弾性のセルロースやトウモロコシなど植物繊維素材からなり、重量が軽く、且つ半透明に形成し、接合状態を外部から観察容易にしたものである。実施例では、スリーブ６４の長さは略１２ｍｍ程度、外直径が３〜５ｍｍ程度である。この各スリーブ６４を接合資材マガジン６０の各フイン部６３の外周縁（太径部、図７（ａ）参照）に挟み付け保持させている。基台６２に設けたロック手段６５を手動で解除すると、１つのフイン部６３の間隔毎に回動して位置保持できる構成である。
【００３８】
他方、図６及び図７に示すように、接合工具６１は、回動支点軸６６を中心として一対の先端フック６７を開閉させるプライヤ形の一対のハンドルレバー６８を有する。常時は先端フック６７を閉保持させる捩じりコイルバネ６９を一対のハンドルレバー６８間に介設させている。
【００３９】
プッシャーであるスライダ７０は、一対のハンドルレバー６８間で回動支点軸６６を挟んで先端フック６７に対して近接離間するように摺動自在に配置されており、回動支点軸６６に被嵌した４角のガイド体７１にスライダ７０が摺動自在に案内される。スライダ７０における操作片７０ａは一対のハンドルレバー６８間から外に突出させ、ガイド体７１から突出するガイドピン７２に被嵌する圧縮ばね７３はガイド体７１と操作片７０ａとの間に介挿されている。そして、圧縮ばね７３の付勢力に抗して操作片７０ａにスライダ７０をフック６７方向に押し移動可能にしている。なお、一方のハンドルレバー６８に設けた進退動可能なロックピン７４は、スライダ７０に穿設された全開位置及びロック位置の係止孔（図示せず）に係脱できるように構成されている。
【００４０】
上記の構成において、穂木苗Ｈと台木苗Ｄとを一人の作業者で一挙に切断する作業の場合、まず、載置ブロック４の茎載せ溝４ａに台木苗Ｄにおける茎部Ｄ１を載せ、茎部Ｄ１の側面から両側に伸びる子葉（本葉）Ｄ２は、略水平方向に向くようにして載置ブロック４と子葉押えブロック２３との隙間に位置させる。他方、子葉押えレバー４１を図２及び図３の左方向に回動させて、載置ブロック３における位置決めブロック部３８の当接部３８ｂに対して穂木苗Ｈの一方の下向きにした子葉Ｈ２を宛がい、他方の子葉Ｈ２は上向きにし、茎部Ｈ１は茎載置ブロック３７の上面の茎載せ溝３ａに沿わせてセットする。次いで、子葉押えレバー４１の保持力を緩めると、付勢バネ力により押え部４２にて当接部３８ｂに対して前記一方の子葉Ｈ２を押えるので、穂木苗Ｈの茎部Ｈ１の切断位置が決まる。次いで、作業者が手で昇降台５を下向きに押えると、付勢手段８の付勢力に抗して昇降台５が下降する。これにより、穂木苗Ｈ用のカッタ手段７ａの一対の切断刃３６が茎載置ブロック３７のガイド壁３７ａに沿って下降して、穂木苗Ｈにおける子葉Ｈ２より下位置の茎部Ｈ１部分をＶ字状に切断する一方、台木苗Ｄ用のカッタ手段７ｂの一対の切断刃３６が下降して前記隙間３５、３５に嵌まるときに、茎部Ｄ１の頂点に位置する頂芽Ｄ３（成長点）の一部を除去するように茎部Ｄ１の頂部を一対の切断刃３６にてＶ字状に切断する。その場合、茎押え機構４５により両茎部Ｄ１，Ｈ１は載置ブロック３，４の上面の茎載せ溝３ａ，４ａの箇所にて保持されてずれ移動しない。このようにして、昇降台５を下降させるという１動作で、穂木苗Ｈと台木苗Ｄとを同時に切断できるのであり、各切断位置も予め定めらた箇所で一定にできる。さらに、切断された茎部Ｈ１，Ｄ１のＶ字状の切断角度（夾角θ）も正確になり、しかも、穂木苗Ｈの子葉Ｈ２の展開方向と台木苗Ｄの子葉Ｄ２の展開方向とが略直交状態（十字状）となる切断作業が確実にできる。
【００４１】
昇降台５の押し力を緩めると、付勢手段８により昇降台５ひいては両カッタ手段７ａ，７ｂ並びに茎押え機構４５が自動的に上昇して載置ブロック３、４の上面から離れる。昇降台５が上昇上限位置の近傍に来ると、茎落とし棒５２が台木苗Ｄ用のカッタ手段７ｂの一対の切断刃３６の間を通ることになり、Ｖ字状に配置された一対の切断刃３６の突き合わせ部分に挟まっている不用となる頂芽Ｄ３部分は下方に押し出され、滑り台部３２から台座体２上に滑り落ちる。載置ブロック３の上面の茎載せ溝３ａに残っている不用な穂木苗Ｈの茎部Ｈ１は手で摘んで捨てる。
【００４２】
次いで、図８（ｂ）のように、台木苗Ｄの切断箇所に穂木苗Ｈの茎剪断箇所を差し込む。そして、(1).前記接合工具６１を手に持ち、両ハンドルレバー６８を握ってフック６７を全開状態にして接合資材マガジン６０におけるスリーブ６４の背面に接近させる。          
【００４３】
(2).両ハンドルレバー６８を握る手を緩め、フック６７を閉じる。                        
【００４４】
(3).人差し指でスライダ７０を前進させてフック６７をスリーブ６４の両切り離し端縁６４ａと反対側の背面にあてがう。
【００４５】
(4).両ハンドルレバー６８を閉じてフック６７を開いてスリーブ６４を取り込む（図７（ａ）参照）。このとき、スリーブ６４の両切り離し端縁６４ａの間は開いており、且つロックピン７４がロック位置の孔に係合してスライダ７０の後退を防止する。                
【００４６】
(5).接ぎ木苗Ｔの接合部に向けてスリーブ６４を接近させ、両ハンドルレバー６８を握る手を緩め、スリーブ６４を接合部に被嵌させる。このときスライダ７０はバネ７３の付勢力で自動的に後退する（図７（ｂ）参照）。                                            
【００４７】
(6).両ハンドルレバー６８を閉じてロックピン７４を全開位置の孔に係合してフック６７を全開させる（図７（ｃ）参照）。この状態で接合工具６１を接ぎ木苗Ｔから引き離して接合作業が完了する（図８（ｃ）参照）。
【００４８】
このように、接合資材としてのスリーブ６４を多数一直線状に装着した接合資材マガジン６０から接合工具６１を使って１つずつスリーブ６４を分離することが簡単にできると共に接合工具６１にてスリーブ６４を拡げて接ぎ木苗Ｔの接合部位に取り付けすることも至極簡単にできるという効果を奏する。
【００４９】
なお、図９（ａ）〜図９（ｄ）に示すように、台木苗Ｄ用のカッタ手段７ｂの一対の切断刃３６の突き合わせ部７６に他の１枚の切断刃７７を配置して、３枚の切断刃３６、３６、７７の配置が平面視でＹ字状になるようにしてカッタブロックに固定する。
【００５０】
図９（ａ）〜図９（ｄ）に示すように、各切断刃３６，３６，７７は、突合せ部７６が短辺でもう一方の側端部が長辺であり、かつ下端側の刃先３６ａ，３６ａ，７７ａが傾斜状という略台形状に形成されている。
【００５１】
したがって、隣り合う刃先間（両斜め切断刃３６，３６の刃先３６ａ，３６ａ間や、一方の斜め切断刃３６の刃先３６ａと縦切断刃７７の刃先７７ａとの間）の隙間間隔は、突合せ部４６の最下端から各々の切先３６ｂ，３６ｂ，７７ｂに向かってだんだんと広がっている。
【００５２】
この例では、台木苗Ｄの根元部側の被切断部が平面視でＹ字状となるように（図９（ｃ）参照）、台木苗Ｄの茎部Ｄ１のうち２枚の子葉Ｄ２は残した状態で、これら両子葉Ｄ２間であって生長点を含んだ頂芽Ｄ３（穂先部）を切断する。最初に、一対の切断刃３６、３６の間に位置する頂芽Ｄ３の部分を切断し始める（図９（ａ）及び図９（ｂ）参照）。次いで、他方の縦切断刃７７は、平面視において茎部Ｄ１の軸線Ｃと略一致するように延びているので、両斜め切断刃３６，３６は、茎部Ｄ１の先端部Ｄ３に対して、平面視で一定のくさび角θをもって切り込むと共に、突合せ部７６及び縦切断刃７７が茎部Ｄ１の軸線Ｃを通り抜けて茎部Ｄ１の先端部Ｄ３を上下方向に貫通し、台木苗Ｄとなる根元部側の被切断部は、一対の傾斜面ＢＤと茎部Ｄ１の軸線Ｃとほぼ一致する直線状の切断面ＣＤとからなる平面視でＹ字状となるように切断される（図９（ｄ）参照）。
【００５３】
なお、本発明では、１つの台座体２に、載置ブロック３を１または複数固定し、昇降台５にその数に対応するカッタ手段７ａを設けて、穂木苗Ｈの切断専用作業を実行するようにし、他の台座体２に、載置ブロック４を１または複数固定し、昇降台５にその数に対応するカッタ手段７ｂを設けて、台木苗Ｄの切断専用作業を実行するように構成する。そして前記いずれか一方もまた両方の台座体２に接合資材マガジン６０及び接合工具６１とを備えることにより、２人以上の作業者で、接ぎ木苗製造作業を共同で行うようにしても良い。
【図面の簡単な説明】
【００５４】
【図１】接ぎ木苗製造装置の全体を示す概略斜視図である。
【図２】接ぎ木苗製造装置の全体を示す一部切欠き概略正面図である。
【図３】図２の III−III 線矢視平面図である。
【図４】載置ブロック４の側断面図である。
【図５】図４のＶ−Ｖ線矢視断面図である。
【図６】接合工具の斜視図である。
【図７】（ａ）〜（ｃ）は接合工具の取り扱いの説明図である。
【図８】接ぎ木の手順を示す概略斜視図であり、（ａ）穂木苗Ｈ及び台木苗Ｄを示す図、（ｂ）は被切断部同士を向かい合わせた状態を示す図、（ｃ）は接合部分をスリーブで包持固定した状態を示す概略斜視図である。
【図９】（ａ）〜（ｄ）は三つの切断刃による切断状態を示す説明図である。
【符号の説明】
【００５５】
１    接ぎ木苗製造装置
２    台座体
３    穂木苗用の載置ブロック
４    台木苗用の載置ブロック
５    昇降台
６    昇降ガイド軸
７ａ，７ｂ  カッタ手段
８（８ａ）    付勢手段
４５  茎押え機構
５２  茎落とし棒
６０  接合資材マガジン
６１  接合工具
【図１】
2005224152.tif 000003
【図２】
2005224152.tif 000004
【図３】
2005224152.tif 000005
【図４】
2005224152.tif 000006
【図５】
2005224152.tif 000007
【図６】
2005224152.tif 000008
【図７】
2005224152.tif 000009
【図８】
2005224152.tif 000010
【図９】
2005224152.tif 000011